(57)【要約】【課題】同一の構造で集光と拡散とを行うことができず、かつ光強度分布を調整することができない。本発明は同一の構造で集光と拡散とを行うことができ、光強度分布を調整することができる複合レンズ構造を提供することである。【解決手段】第１面を有する拡散板を含む複合レンズ構造であって、第１面に形成された光学構造は、第１方向と第２方向に沿って二次元のアレイに配列され、低曲率凸部と低曲率凸部より突起した高曲率凸部をそれぞれ含み、高曲率凸部の曲率半径が低曲率凸部の曲率半径より小さい複数凸部、および第１方向と第２方向に沿って二次元のアレイに配列され、低曲率凹部と低曲率凹部からくぼんだ高曲率凹部をそれぞれ含み、高曲率凹部の曲率半径が低曲率凹部の曲率半径より小さい複数の凹部を含み、各凸部は、複数の凹部に隣接し、各凹部は、複数の凸部に隣接し、かつ、凸部、凹部と、凸部と凹部の各接合は、０でない曲率を有する複合レンズ構造。【選択図】図３
2008304890.tif 000002
【特許請求の範囲】
【請求項１】
第１面を有する拡散板を含む複合レンズ構造であって、
前記第１面に形成された光学構造は、
第１方向と第２方向に沿って二次元のアレイに配列され、低曲率凸部と前記低曲率凸部より突起した高曲率凸部をそれぞれ含み、前記高曲率凸部の曲率半径が前記低曲率凸部の曲率半径より小さい複数凸部、および
第１方向と第２方向に沿って二次元のアレイに配列され、低曲率凹部と前記低曲率凹部からくぼんだ高曲率凹部をそれぞれ含み、前記高曲率凹部の曲率半径が前記低曲率凹部の曲率半径より小さい複数の凹部を含み、
各凸部は、複数の凹部に隣接し、各凹部は、複数の凸部に隣接し、かつ、前記凸部、前記凹部と、前記凸部と前記凹部の各接合は、０でない曲率を有する複合レンズ構造。
【請求項２】
前記低曲率凸部は、前記第１方向に沿った第１低曲率部と、前記第２方向に沿った第２低曲率部を含み、前記第１低曲率部と前記第２低曲率部は、前記高曲率凸部に接続される請求項１記載の複合レンズ構造。
【請求項３】
前記第１低曲率部と前記第２低曲率部は、同じ曲率を有する請求項２記載の複合レンズ構造。
【請求項４】
前記第１低曲率部は、前記第２低曲率部の曲率と異なる曲率を有する請求項２記載の複合レンズ構造。
【請求項５】
前記低曲率凹部は、前記第１方向に沿った第３低曲率部と、前記第２方向に沿った第４低曲率部を含み、前記第３低曲率部と前記第４低曲率部は、前記高曲率凹部に接続される請求項１記載の複合レンズ構造。
【請求項６】
前記第３低曲率部と前記第４低曲率部は、同じ曲率を有する請求項５記載の複合レンズ構造。
【請求項７】
前記第３低曲率部は、前記第４低曲率部の曲率と異なる曲率を有する請求項５記載の複合レンズ構造。
【請求項８】
前記低曲率凹部は、前記第１方向に沿った第３低曲率部と、前記第２方向に沿った第４低曲率部を含み、前記第３低曲率部と前記第４低曲率部は、前記高曲率凹部に接続される請求項２記載の複合レンズ構造。
【請求項９】
前記第１低曲率部は、前記第４低曲率部に隣接し、前記第２低曲率部は、前記第３低曲率部に隣接する請求項８記載の複合レンズ構造。
【請求項１０】
前記第１方向に沿った１つの凸部と１つの凸部に隣接した他の１つの凸部との距離は一様である請求項１記載の複合レンズ構造。
【請求項１１】
前記第２方向に沿った、１つの凸部から前記１つの凸部に隣接したもう１つの凸部の距離は同じである請求項１０記載の複合レンズ構造。
【請求項１２】
前記第１方向に沿った、１つの凹部から前記１つの凹部に隣接したもう１つの凹部の距離は同じである請求項１１記載の複合レンズ構造。
【請求項１３】
前記第２方向に沿った、１つの凹部から前記１つの凹部に隣接したもう１つの凹部の距離は同じである請求項１１記載の複合レンズ構造。
【請求項１４】
前記第２方向に沿った、１つの凸部から前記１つの凸部に隣接したもう１つの凸部の距離は異なる請求項１０記載の複合レンズ構造。
【請求項１５】
前記第２方向に沿った、１つの凸部から前記１つの凸部に隣接したもう１つの凸部の距離は前記複合レンズ構造の中心から外側に減少する請求項１４記載の複合レンズ構造。
【請求項１６】
前記第２方向に沿った、１つの凸部から前記１つの凸部に隣接したもう１つの凸部の距離は前記複合レンズ構造の中心から外側に増大する請求項１４記載の複合レンズ構造。
【請求項１７】
前記第１方向に沿った、１つの凹部から前記１つの凹部に隣接したもう１つの凹部の距離は一様である請求項１４記載の複合レンズ構造。
【請求項１８】
前記第２方向に沿った、１つの凹部から前記１つの凹部に隣接したもう１つの凹部の距離は異なる請求項１７記載の複合レンズ構造。
【請求項１９】
前記第２方向に沿った、１つの凹部から前記１つの凹部に隣接したもう１つの凹部の距離は前記複合レンズ構造の中心から外側に減少する請求項１８記載の複合レンズ構造。
【請求項２０】
前記第２方向に沿った、１つの凹部から前記１つの凹部に隣接したもう１つの凹部の距離は前記複合レンズ構造の中心から外側に増大する請求項１８記載の複合レンズ構造。
【請求項２１】
前記第１方向に沿った、１つの凸部から前記１つの凸部に隣接したもう１つの凸部の距離は異なる請求項１記載の複合レンズ構造。
【請求項２２】
前記第２方向に沿った、１つの凸部から前記１つの凸部に隣接したもう１つの凸部の距離は異なる請求項２１記載の複合レンズ構造。
【請求項２３】
前記第１方向に沿った、１つの凸部から前記１つの凸部に隣接したもう１つの凸部の距離は前記複合レンズ構造の中心から外側に減少する請求項１４記載の複合レンズ構造。
【請求項２４】
前記第２方向に沿った、１つの凸部から前記１つの凸部に隣接したもう１つの凸部の距離は前記複合レンズ構造の中心から外側に減少する請求項２３記載の複合レンズ構造。
【請求項２５】
前記第２方向に沿った、１つの凸部から前記１つの凸部に隣接したもう１つの凸部の距離は前記複合レンズ構造の中心から外側に増大する請求項２３記載の複合レンズ構造。
【請求項２６】
前記第１方向に沿った、１つの凸部から前記１つの凸部に隣接したもう１つの凸部の距離は前記複合レンズ構造の中心から外側に増大する請求項２２記載の複合レンズ構造。
【請求項２７】
前記第２方向に沿った、１つの凸部から前記１つの凸部に隣接したもう１つの凸部の距離は前記複合レンズ構造の中心から外側に増大する請求項２６記載の光拡散モジュール。
【請求項２８】
前記第１方向に沿った、１つの凹部から前記１つの凹部に隣接したもう１つの凹部の距離は異なる請求項２１記載の光拡散モジュール。
【請求項２９】
前記第２方向に沿った、１つの凹部から前記１つの凹部に隣接したもう１つの凹部の距離は異なる請求項２８記載の光拡散モジュール。
【請求項３０】
光源からの光線がそれと前記拡散板を順次に通過する拡散層をさらに含む請求項１記載の光拡散モジュール。
【請求項３１】
前記拡散板は、粒子構造が形成され、光源からの光線がそれと前記第１面を順次に通過する第２面をさらに含む請求項１記載の光拡散モジュール。
【請求項３２】
前記拡散板は、霧化構造が形成され、光源からの光線がそれと前記第１面を順次に通過する第２面をさらに含む請求項１記載の光拡散モジュール。
【請求項３３】
前記拡散板は、光拡散効果を有する高分子からなる請求項１記載の光拡散モジュール。
【請求項３４】
複合レンズ構造の形成方法は、
基板を提供するステップ、
アレイに配列された複数の第１孔を有する第１マスクを提供するステップ、
アレイに配列された複数の第２孔を有する第２マスクを提供するステップ、
第１エネルギー光線を提供するステップ、
前記第１エネルギー光線と前記基板との間に前記第１と第２マスクを配置するステップ、
前記第１マスク、または前記基板を第１方向に沿って移動するステップ、
前記第２マスク、または前記基板を第２方向に沿って移動し、凸部と凹部の二次元のアレイを前記基板に形成するステップ、
第２エネルギー光線を提供するステップ、
前記第２エネルギー光線と前記基板との間に前記第１と第２マスクを配置するステップ、
前記第１マスク、または前記基板を第１方向に沿って移動するステップ、および
前記第２マスク、または前記基板を第２方向に沿って移動し、高曲率凸部と前記凸部上の前記高曲率凸部に隣接した低曲率凸部を形成し、高曲率凹部と前記凹部上の前記高曲率凹部に隣接した低曲率凹部を形成するステップを含む方法。
【請求項３５】
前記第１方向は、前記第２方向に垂直する請求項３４記載の方法。
【請求項３６】
１つの第１孔と前記１つの第１孔に隣接したもう１つの孔の距離は、同じである請求項３４記載の方法。
【請求項３７】
１つの第２孔と前記１つの第２孔に隣接したもう１つの孔の距離は、同じである請求項３６記載の方法。
【請求項３８】
１つの第２孔と前記１つの第２孔に隣接したもう１つの孔の距離は、異なる請求項３６記載の方法。
【請求項３９】
１つの第１孔と前記１つの第１孔に隣接したもう１つの孔の距離は、異なり、１つの第２孔と前記１つの第２孔に隣接したもう１つの孔の距離は、異なる請求項３４記載の方法。
【請求項４０】
前記第２エネルギー光線は、前記第１エネルギー光線より高い光強度を有する請求項３４記載の方法。
【請求項４１】
複合レンズ構造の形成方法は、
基板を提供するステップ、
アレイに配列された複数の孔を有するマスクを提供するステップ、
第１エネルギー光線を提供するステップ、
第２エネルギー光線を提供するステップ、
前記第１エネルギー光線と前記基板との間に前記マスクを配置するステップ、
前記マスク、または前記基板を第１方向に沿って移動するステップ、
前記マスク、または前記基板を第２方向に沿って移動し、凸部と凹部の二次元のアレイを前記基板に形成し、各凸部が複数の凹部に隣接し、各凹部が複数の凸部に隣接するステップ、
前記第２エネルギー光線と前記基板との間に前記マスクを配置するステップ、
前記マスク、または前記基板を第１方向に沿って移動するステップ、および
前記マスク、または前記基板を第２方向に沿って移動し、高曲率凸部と前記凸部上の前記高曲率凸部に隣接した低曲率凸部を形成し、高曲率凹部と前記凹部上の前記高曲率凹部に隣接した低曲率凹部を形成するステップを含む方法。
【請求項４２】
前記第１方向は、前記第２方向に垂直する請求項４１記載の方法。
【請求項４３】
前記第２エネルギー光線は、前記第１エネルギー光線より高い光強度を有する請求項４１記載の方法。
【発明の詳細な説明】
【技術分野】
【０００１】
本発明は、複合レンズ構造に関し、特に、光を集光、かつ拡散できる複合レンズ構造に関するものである。
【背景技術】
【０００２】
低コストとより簡易化した構造により、冷陰極蛍光ランプに変わって発光ダイオードがバックライトモジュールに供給されている。バックライトモジュールは、例えば、導光板、拡散板、輝度上昇フィルム（brightness enhancement film；ＤＥＦ）と、輝度上昇フィルム（dual brightness enhancement film；ＤＢＥＦ）などの各種の機能要素を有する光学フィルムを含む。複合光学フィルムは、２つ、または複数の上述の機能を有する。例えば、光学構造が導光板上に形成され、導光と光拡散の機能を有する。または光学構造が拡散板上に形成され、光拡散と輝度上昇の機能を有する。輝度上昇構造は、ひし形のレンズ、またはその同種のものである（特許文献１参照）。２つのマイクロ構造が交互に配列された光学構造は、複合光学機能を有する（特許文献２または３参照）。
【０００３】
【特許文献１】米国特許第５，３００，２６３号明細書
【特許文献２】米国特許第５，１７７，６３７号明細書
【特許文献３】米国特許第５，８６１，９９０号明細書
【発明の開示】
【発明が解決しようとする課題】
【０００４】
叙上の従来の光学構造は、同一の構造で集光と拡散とを行うことができず、かつ光強度分布を調整することができない。本発明は同一の構造で集光と拡散とを行うことができ、光強度分布を調整することができる複合レンズ構造を提供することである。
【課題を解決するための手段】
【０００５】
本発明の複合レンズ構造の実施例は、第１面を有する拡散板と第１面に形成された光学構造を含む。光学構造は、第１方向と第２方向に沿って二次元のアレイに配列された複数の凸部と、第１と第２方向に沿って二次元のアレイに配列された複数の凹部を含む。各凸部は、低曲率凸部と低曲率凸部より突起した高曲率凸部を含み、高曲率凸部の半径は、低曲率凸部の半径より小さい。各凹部は、低曲率凹部と低曲率凹部からくぼんだ高曲率凹部を含み、高曲率凹部の半径は、低曲率凹部の半径より小さい。各凸部は、複数の凹部に隣接し、各凹部は、複数の凸部に隣接し、かつ、凸部、凹部と、凸部と凹部の各接合は、０でない曲率を有する。
【０００６】
低曲率凸部は、第１方向に沿った第１低曲率部と、第２方向に沿った第２低曲率部を含む。第１低曲率部と第２低曲率部は、高曲率凸部に接続される。第１低曲率部と第２低曲率部は、同じまたは異なる曲率を有する。
【０００７】
低曲率凹部は、第１方向に沿った第３低曲率部と、第２方向に沿った第４低曲率部を含む。第３低曲率部と第４低曲率部は、高曲率凹部に接続される。第３低曲率部と第４低曲率部は、同じまたは異なる曲率を有する。
【０００８】
第１低曲率部は、第４低曲率部に隣接し、第２低曲率部は、第３低曲率部に隣接する。
【発明の効果】
【０００９】
本発明の複合レンズ構造では、２つの異なる深さの構造が非対称的に形成される。第１の深さの構造は、高曲率（小さな曲率半径）を有する。第２の深さの構造は、低曲率（大きな曲率半径）を有する。この構造が高曲率と低曲率を有することから、同じ構造で集光と拡散を行うことができ、かつ、構造が非対称であることから、光のパターンが不均一であることができ、複合レンズ構造が光強度分布を調整することができる。
【発明を実施するための最良の形態】
【００１０】
本発明についての目的、特徴、長所が一層明確に理解されるよう、以下に実施形態を例示し、図面を参照しながら、詳細に説明する。
【実施例】
【００１１】
本発明は、二次元光拡散の二次元複合レンズ構造を挙げている。本発明の複合レンズ構造は、レーザードラッギング法（laser dragging method）によって形成される。
【００１２】
図１を参照すると、マスク（図示していない）が第１方向Ｌ１に沿って移動され、レーザー光がマスクを照射して複数の第１溝１２０を基板Ｓ上に形成する。マスクが第２方向Ｌ２に沿って移動され、レーザー光がマスクを照射して複数の第２溝１４０を基板Ｓ上に形成する。第１溝１２０と第２溝１４０は、定常波のような複合レンズ構造５００を構成する。
【００１３】
レーザードラッギングが異なるレーザー周波数、光強度（第１エネルギー光線、第２エネルギー光線）と、ドラッギング速度で、第１方向Ｌ１または第２方向Ｌ２に沿って２度行われた場合、２つの異なる深さの構造が非対称的に形成される。第１の深さの構造は、高曲率（小さな曲率半径）を有する。第２の深さの構造は、低曲率（大きな曲率半径）を有する。この構造が高曲率と低曲率を有することから、同じ構造で集光と拡散を行うことができる。構造が非対称であることから、光のパターンが不均一であることができ、複合レンズ構造が光強度分布を調整することができる。
【００１４】
図２は、図１に示されたレーザードラッギングによって形成された光拡散モジュール６００を表している。複合レンズ構造６００は、拡散板６２０と拡散板６２０上に形成された光学構造６４０を含む。光学構造６４０は、複数の凸部６６０と複数の凹部６８０を含む。凸部６６０は、第１と第２方向に沿って二次元のアレイに配列される。同じように、凹部６８０は、第１と第２方向に沿って二次元のアレイに配列される。凸部６６０と凹部６８０は、交互に配列され、定常波のようなパターンを形成する。この実施例では、各凸部６６０は、４つの凹部６８０に隣接し、各凹部６８０も４つの凸部６６０に隣接する。マスクは、凸部６６０、凹部６８０と、凸部６６０と凹部６８０の各接合部の曲率が０でないように設計されている。第１方向Ｌ１に沿った、２つの隣接した凸部６６０間の距離は、Ｄ１であり、２つの隣接した凹部６８０間の距離は、Ｄ３である。第２方向Ｌ２に沿った、２つの隣接した凸部６６０間の距離は、Ｄ２であり、２つの隣接した凹部６８０間の距離は、Ｄ４である。
【００１５】
図３は、拡大された凸部６６０と拡大された凹部６８０を表している。凸部６６０は、高曲率凸部６６２と低曲率凸部６６４を含む。高曲率凸部６６２は、低曲率凸部６６４より突起し、低曲率凸部６６４より高い。低曲率凸部６６４は、第１方向Ｌ１に沿って延伸した第１低曲率部６６６と、第２方向Ｌ２に沿って延伸した第２低曲率部６６８を含む。第１低曲率部６６６と第２低曲率部６６８は、高曲率凸部６６２に隣接する。
【００１６】
同じように、凹部６８０は、高曲率凹部６８２と低曲率凹部６８４を含む。高曲率凹部６８２は、低曲率凹部６８４から下がり、低曲率凹部６８４より大きな深さを有する。低曲率凹部６８４は、第１方向Ｌ１に沿って延伸した第３低曲率部６８６と、第２方向Ｌ２に沿って延伸した第４低曲率部６８８を含む。第３低曲率部６８６と第４低曲率部６８８は、高曲率凸部６８２に隣接する。第３低曲率部６８６が第１方向Ｌ１に沿って延伸することから、第２方向Ｌ２に沿って延伸する第２低曲率部６６８に隣接する。同じように、第４低曲率部６８８が第２方向Ｌ２に沿って延伸することから、第１方向Ｌ１に沿って延伸する第１低曲率部６６６に隣接する。第３低曲率部６８６と第２低曲率部６６８の接合部は、０でない曲率を有する。第４低曲率部６８８と第１低曲率部６６６の接合部も０でない曲率を有する。
【００１７】
高曲率凸部６６２と高曲率凸部６８２は、光束を集光することができ、第１、第２、第３と、第４低曲率部６６６、６６８、６８６と、６８８は、光を拡散することができる。第１低曲率部６６６と第２低曲率部６６８は、同じ、または異なる曲率半径を有する。同じように、第３低曲率部６８６と第４低曲率部６８８は、同じ、または異なる曲率半径を有する。光は、第１低曲率部６６６と第２低曲率部６６８が同じ曲率半径を有するとき、対称的に拡散される。光は、第１低曲率部６６６と第２低曲率部６６８が異なる曲率半径を有するとき、非対称的に拡散され、第３低曲率部６８６と第４低曲率部６８８が異なる曲率半径を有するときも非対称的に拡散される。
【００１８】
図４と図５を参照すると、複合レンズ構造の３つの異なる深さが見られる。最も高い部分と最も低い部分は、小さな曲率半径を有し、中間部分は、大きな曲率半径を有する。図６は、３つの異なる深さを表しており、その数字は、深さ（μｍ）を意味している。高曲率凸部６６２では、深さは０である。高曲率凸部６８２では、深さが５１であり、第１低曲率部６６６では、３０、第２低曲率部６６８では、２６である。図７は、ＥＬＤＩＭテストでの従来の複合レンズ構造の光強度図である。最も高い光強度は、４８７０ｎｉｔｓである。図８は、ＥＬＤＩＭテストでの本発明の複合レンズ構造の光強度図である。光が中心に集光され、両側に非対称的に拡散されている。最も高い光強度は、５４９４ｎｉｔｓである。図９は、本発明の複合レンズ構造とその他の従来の輝度光学構造の輝度（ｃｄ／ｍ2）を示しており、ａは、本発明の複合レンズ構造の輝度を示しており、ｂは、拡散板を備えた本発明の複合レンズ構造の輝度を示しており、ｃは、従来の拡散板、ｄは、従来のひし形レンズ構造の輝度を示している。本発明の複合レンズ構造は、従来のひし形レンズ構造より優れた効果の輝度上昇を有する。高視野角領域では、光強度は３０００ｎｉｔｓに維持され、従来のひし形レンズ構造は、１０００ｎｉｔｓ以下に低下される。
【００１９】
図１０は、本発明の複合レンズ構造のもう１つの実施例の光強度図である。図１０のストライプは、光が集光された明るい領域を表している。第１方向Ｌ１に沿った、任意の２つの隣接した凸部６６０間の距離Ｄ１は、同じである。第１方向Ｌ１に沿った、任意の２つの隣接した凹部６８０間の距離Ｄ３は、同じである。第２方向Ｌ２に沿った、任意の２つの隣接した凸部６６０間の距離Ｄ２は、同じである。第２方向Ｌ２に沿った、任意の２つの隣接した凹部６８０間の距離Ｄ４は、同じである。
【００２０】
図１１は、本発明の複合レンズ構造のもう１つの実施例の光強度図である。第１方向Ｌ１に沿った、任意の２つの隣接した凸部６６０間の距離Ｄ１は、同じである。第１方向Ｌ１に沿った、任意の２つの隣接した凹部６８０間の距離Ｄ３は、同じである。第２方向Ｌ２に沿った、任意の２つの隣接した凸部６６０間の距離Ｄ２は、異なる。第２方向Ｌ２に沿った、任意の２つの隣接した凹部６８０間の距離Ｄ４は、異なる。Ｄ２とＤ４は、光学構造６４０の中心からその外側に徐々に増大する。
【００２１】
図１２は、本発明の複合レンズ構造のもう１つの実施例の光強度図である。第１方向Ｌ１に沿った、任意の２つの隣接した凸部６６０間の距離Ｄ１は、同じである。第１方向Ｌ１に沿った、任意の２つの隣接した凹部６８０間の距離Ｄ３は、同じである。第２方向Ｌ２に沿った、任意の２つの隣接した凸部６６０間の距離Ｄ２は、異なる。第２方向Ｌ２に沿った、任意の２つの隣接した凹部６８０間の距離Ｄ４は、異なる。Ｄ２とＤ４は、光学構造６４０の中心から外側に徐々に減少する。
【００２２】
図１３は、本発明の複合レンズ構造のもう１つの実施例の光強度図である。第１方向Ｌ１に沿った、任意の２つの隣接した凸部６６０間の距離Ｄ１は、異なる。第１方向Ｌ１に沿った、任意の２つの隣接した凹部６８０間の距離Ｄ３は、異なる。Ｄ１とＤ３は、光学構造６４０の中心から外側に徐々に増大する。第２方向Ｌ２に沿った、任意の２つの隣接した凸部６６０間の距離Ｄ２は、異なる。第２方向Ｌ２に沿った、任意の２つの隣接した凹部６８０間の距離Ｄ４は、異なる。Ｄ２とＤ４は、光学構造６４０の中心から外側に徐々に増大する。
【００２３】
上述の実施例は、説明のための例であり、本発明を限定するものではない。例えば、２つの隣接した凸部６６０間の距離Ｄ１は、第１方向Ｌ１に沿って異なるが、第１方向Ｌ１に沿った、任意の２つの隣接した凹部６８０間の距離Ｄ３は、同じである。
【００２４】
また、上述の実施例の第１方向Ｌ１と第２方向Ｌ２は、垂直であるが、第１方向Ｌ１と第２方向Ｌ２は、垂直以外の方向であることもできる。
【００２５】
図１４に示されるように、拡散板６２０は、従来の拡散板５０に結合され、光拡散モジュール７００を構成することができる。符号３０は、ＬＥＤアレイである。図１５を参照すると、光拡散モジュール８００は、拡散板６２０の底部（第２面）６２２（複合レンズ構造６００が第１面６２１上に形成される）に形成された粒状構造、または霧化構造（blurred structure）を含み、光拡散を向上する。図１６を参照すると、光拡散モジュール９００は、光拡散特性を有する高分子の拡散板６２０を含む。
【００２６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００２７】
【図１】本発明の複合レンズ構造を形成する方法の概略図である。
【図２】本発明の複合レンズ構造の実施例の概略図である。
【図３】図２の複合レンズ構造の凸部と凹部の拡大図である。
【図４】ＰＣに形成された複合レンズ構造のＳＥＭ図である。
【図５】複合レンズ構造の断面図である。
【図６】複合レンズユニットを表している。
【図７】ＥＬＤＩＭテストでの従来の複合レンズ構造の光強度図である。
【図８】ＥＬＤＩＭテストでの本発明の複合レンズ構造の光強度図である。
【図９】本発明の複合レンズ構造の輝度と従来の拡散板の輝度と従来のひし形レンズ構造の輝度を比較したグラフである。
【図１０】本発明の複合レンズ構造のもう１つの実施例の光強度図である。
【図１１】本発明の複合レンズ構造のもう１つの実施例の光強度図である。
【図１２】本発明の複合レンズ構造のもう１つの実施例の光強度図である。
【図１３】本発明の複合レンズ構造のもう１つの実施例の光強度図である。
【図１４】拡散シートと合わせて用いられる本発明の複合レンズ構造を表している。
【図１５】粒状構造と合わせて用いられる本発明の複合レンズ構造を表している。
【図１６】光拡散効果を有する高分子によって製造された本発明の複合レンズ構造を表している。
【符号の説明】
【００２８】
１２０  第１溝
１４０  第２溝
５００  複合レンズ構造
６００、７００、８００、９００  複合レンズ構造
６２０  拡散板
６２１  第１面
６２２  第２面
６４０  光学構造
６６０  凸部
６６２  高曲率凸部
６６４  低曲率凸部
６６６  第１低曲率部
６６８  第２低曲率部
６８０  凹部
６８２  高曲率凹部
６８４  低曲率凹部
６８６  第３低曲率部
６８８  第４低曲率部
Ｄ１    ２つの隣接した凸部間の距離
Ｄ３    ２つの隣接した凹部間の距離
Ｌ１    第１方向
Ｌ２    第２方向
【図１】
2008304890.tif 000003
【図２】
2008304890.tif 000004
【図３】
2008304890.tif 000005
【図４】
2008304890.tif 000006
【図５】
2008304890.tif 000007
【図６】
2008304890.tif 000008
【図７】
2008304890.tif 000009
【図８】
2008304890.tif 000010
【図９】
2008304890.tif 000011
【図１０】
2008304890.tif 000012
【図１１】
2008304890.tif 000013
【図１２】
2008304890.tif 000014
【図１３】
2008304890.tif 000015
【図１４】
2008304890.tif 000016
【図１５】
2008304890.tif 000017
【図１６】
2008304890.tif 000018